(57)【特許請求の範囲】
【請求項１】
第１の監視対象に対応する第１の監視制御画面と第２の監視対象に対応する第２の監視制御画面を表示するディスプレイと、
Ｗｅｂブラウザ上で動作しネットワークから前記第1の監視対象に関する第１の監視データを取得する第１の収集部と、
前記第１の収集部で取得された第１の監視データを表示形式に変換する第１の計算部と、前記第１の計算部で変換されたデータをもとに前記第１の監視制御画面の表示を更新する処理を行う第１の表示更新部と、
前記Ｗｅｂブラウザ上で動作し前記ネットワークから前記第２の監視対象に関する第２の監視データを取得する第２の収集部と、
前記第２の収集部で取得された第２の監視データを表示形式に変換する第２の計算部と、前記第２の計算部で変換されたデータをもとに前記第２の監視制御画面の表示を更新する処理を行う第２の表示更新部と、
監視作業に使用する監視制御画面を指定する情報が入力される入力装置とを備え、
前記第１の監視制御画面が前記ディスプレイの第１層面に表示されているときは前記第１の表示更新部は表示を更新する処理を実行しかつ前記第２の表示更新部は表示を更新する処理を停止し、前記第２の監視制御画面が前記ディスプレイの第１層面に表示されているときは前記第１の表示更新部は表示を更新する処理を停止しかつ前記第２の表示更新部は表示を更新する処理を実行し、
前記第１の表示更新部は、前記入力装置に第１の監視制御画面を指定する情報が入力されると、第１層面に第1の監視対象の変化を表現する第１の文字情報と、第２層面に第１
の監視制御画面に対応する簡易イメージを表示し、
前記第２の表示更新部は、前記入力装置に第２の監視制御画面を指定する情報が入力されると、第１層面に第２の監視対象の変化を表現する第２の文字情報と、第２層面に第２の監視制御画面に対応する簡易イメージを表示することを特徴とするＷｅｂ監視制御装置。
【請求項２】
第１の監視対象に対応する第１の監視制御画面と第２の監視対象に対応する第２の監視制御画面を表示するディスプレイと、
Ｗｅｂブラウザ上で動作しネットワークから前記第1の監視対象に関する第１の監視データを取得する第１の収集部と、
前記第１の収集部で取得された第１の監視データを表示形式に変換する第１の計算部と、前記第１の計算部で変換されたデータをもとに前記第１の監視制御画面の表示を更新する処理を行う第１の表示更新部と、
前記Ｗｅｂブラウザ上で動作し前記ネットワークから前記第２の監視対象に関する第２の監視データを取得する第２の収集部と、
前記第２の収集部で取得された第２の監視データを表示形式に変換する第２の計算部と、前記第２の計算部で変換されたデータをもとに前記第２の監視制御画面の表示を更新する処理を行う第２の表示更新部と、
監視作業に使用する監視制御画面を指定する情報が入力される入力装置とを備え、
前記第１の監視制御画面が前記ディスプレイの第１層面に表示されているときは前記第１の表示更新部は表示を更新する処理を実行しかつ前記第２の表示更新部は表示を更新する処理を停止し、前記第２の監視制御画面が前記ディスプレイの第１層面に表示されているときは前記第１の表示更新部は表示を更新する処理を停止しかつ前記第２の表示更新部は表示を更新する処理を実行し、
前記第１の監視制御画面と前記第２の監視制御画面はタブ形式で重畳されて表示され、
前記第１の表示更新部は、前記第１の監視データに変更があると、第１の監視制御画面のタブを通常とは異なる背景色で表示し、
前記第２の表示更新部は、前記第２の監視データに変更があると、第２の監視制御画面のタブを通常とは異なる背景色で表示することを特徴とするＷｅｂ監視制御装置。
【請求項３】
第１の監視対象に対応する第１の監視制御画面と第２の監視対象に対応する第２の監視制御画面を表示するディスプレイと、
Ｗｅｂブラウザ上で動作しネットワークから前記第1の監視対象に関する第１の監視データを取得する第１の収集部と、
前記第１の収集部で取得された第１の監視データを表示形式に変換する第１の計算部と、前記第１の計算部で変換されたデータをもとに前記第１の監視制御画面の表示を更新する処理を行う第１の表示更新部と、
前記Ｗｅｂブラウザ上で動作し前記ネットワークから前記第２の監視対象に関する第２の監視データを取得する第２の収集部と、
前記第２の収集部で取得された第２の監視データを表示形式に変換する第２の計算部と、前記第２の計算部で変換されたデータをもとに前記第２の監視制御画面の表示を更新する処理を行う第２の表示更新部と、
監視作業に使用する監視制御画面を指定する情報が入力される入力装置とを備え、
前記第１の監視制御画面が前記ディスプレイの第１層面に表示されているときは前記第１の表示更新部は表示を更新する処理を実行しかつ前記第２の表示更新部は表示を更新する処理を停止し、前記第２の監視制御画面が前記ディスプレイの第１層面に表示されているときは前記第１の表示更新部は表示を更新する処理を停止しかつ前記第２の表示更新部は表示を更新する処理を実行し、
前記第１の監視制御画面と前記第２の監視制御画面はタブ形式で重畳されて表示され、
前記第１の表示更新部は、前記入力装置に第１の監視制御画面のタブを指定する情報が入力されると、第１の監視対象の変化を表現する文字情報を前記第１の監視制御画面のタブに関連付けて吹き出し形式で表示し、
前記第２の表示更新部は、前記入力装置に第２の監視制御画面のタブを指定する情報が入力されると、第２の監視対象の変化を表現する文字情報を前記第２の監視制御画面のタブに関連付けて吹き出し形式で表示することを特徴とするＷｅｂ監視制御装置。
【請求項４】
第１の監視対象に対応する第１の監視制御画面と第２の監視対象に対応する第２の監視制御画面を表示するディスプレイと、
Ｗｅｂブラウザ上で動作しネットワークから前記第1の監視対象に関する第１の監視データを取得する第１の収集部と、
前記第１の収集部で取得された第１の監視データを表示形式に変換する第１の計算部と、前記第１の計算部で変換されたデータをもとに前記第１の監視制御画面の表示を更新する処理を行う第１の表示更新部と、
前記Ｗｅｂブラウザ上で動作し前記ネットワークから前記第２の監視対象に関する第２の監視データを取得する第２の収集部と、
前記第２の収集部で取得された第２の監視データを表示形式に変換する第２の計算部と、前記第２の計算部で変換されたデータをもとに前記第２の監視制御画面の表示を更新する処理を行う第２の表示更新部と、
監視作業に使用する監視制御画面を指定する情報が入力される入力装置とを備え、
前記第１の監視制御画面が前記ディスプレイの第１層面に表示されているときは前記第１の表示更新部は表示を更新する処理を実行しかつ前記第２の表示更新部は表示を更新する処理を停止し、前記第２の監視制御画面が前記ディスプレイの第１層面に表示されているときは前記第１の表示更新部は表示を更新する処理を停止しかつ前記第２の表示更新部は表示を更新する処理を実行し、
前記第１の監視制御画面と前記第２の監視制御画面はタブ形式で重畳されて表示され、
前記第１の表示更新部は、前記入力装置に第１の監視制御画面のタブを指定する情報が入力されると、第１層面に第1の監視対象の変化を表現する第１の文字情報と、第２層面
に第１の監視制御画面に対応する簡易イメージを表示し、
前記第２の表示更新部は、前記入力装置に第２の監視制御画面のタブを指定する情報が入力されると、第１層面に第２の監視対象の変化を表現する第２の文字情報と、第２層面に第２の監視制御画面に対応する簡易イメージを表示することを特徴とするＷｅｂ監視制御装置。
【発明の詳細な説明】
【技術分野】
【０００１】
本発明はＷｅｂ監視制御装置に関し、特に、省電力表示機能を備えたＷｅｂ監視制御装置に関する。
【背景技術】
【０００２】
プラント設備や公共施設に設置された設備機器の状態監視や稼動制御に、また広範囲におよぶ河川や池などの水位と流量の監視に、Ｗｅｂブラウザを用いて監視制御画面を操作する監視制御システムが用いられている。Ｗｅｂブラウザを用いた監視制御システムでは、監視する対象ごとに監視制御画面が用意されている。監視対象に関わる監視データの収集、収集されたデータの演算、および監視制御画面の表示更新は画面ごとに行われる。
【０００３】
監視データが定周期に収集され、多数の監視制御画面が一度に更新されると、ＣＰＵ（Central Processing Unit）の負荷が高くなり、処理速度の低下と消費電力の増加を招く。定周期に行われる画面更新により消費される電力は、消費電力の大きな割合を占めている。消費電力を抑えるためには、一定期間操作がないとディプレイを休止状態にするなどの対策が採られる（例えば特許文献１）。
【先行技術文献】
【特許文献】
【０００４】
【特許文献１】特開２０００−１６３０３５号公報
【特許文献２】特開２０００−１９４５３２号公報
【発明の概要】
【発明が解決しようとする課題】
【０００５】
Ｗｅｂ監視制御装置は、複数の監視対象を複数の監視制御画面に表示する。監視者はこの複数の監視制御画面を見ながら監視作業を行う。監視対象のデータ収集、収集されたデータの演算、および演算された結果を数値、形状、色などで表示するための処理は、各画面に対して行われ、結果はそれぞれの監視制御画面に反映される。監視する対象が多岐にわたり、監視制御画面の数が多い場合、監視制御画面を更新表示するための負荷は画面数に比例して高くなる。
【０００６】
ＣＰＵに対する高負荷は、電力消費量を増加させ、監視処理全体の応答を低下させる。バッテリで動作する機器で複数の監視制御画面を確認する場合、画面が一般に小型であるため、画面の確認操作と切り替え操作に多くの時間を要する。電力消費量が多いとバッテリで動作する機器では長時間にわたる監視作業が妨げられる。
【０００７】
本発明は上記のような課題を解決するためになされたものであり、Ｗｅｂブラウザを用いて複数の監視制御画面を表示する場合に、監視制御画面の表示更新処理に要する負荷を抑えることにある。
【課題を解決するための手段】
【０００８】
この発明に係るＷｅｂ監視制御装置は、第１の監視対象に対応する第１の監視制御画面と第２の監視対象に対応する第２の監視制御画面を表示するディスプレイと、Ｗｅｂブラウザ上で動作しネットワークから第1の監視対象に関する第１の監視データを取得する第１の収集部と、第１の収集部で取得された第１の監視データを表示形式に変換する第１の計算部と、第１の計算部で変換されたデータをもとに第１の監視制御画面の表示更新を制御する第１の表示更新部と、Ｗｅｂブラウザ上で動作しネットワークから第２の監視対象に関する第２の監視データを取得する第２の収集部と、第２の収集部で取得された第２の監視データを表示形式に変換する第２の計算部と、第２の計算部で変換されたデータをもとに第２の監視制御画面の表示更新を制御する第２の表示更新部と、監視作業に使用する監視制御画面を指定する情報が入力される入力装置とを備えている。第１の監視制御画面がディスプレイの第１層面に表示されているときは第１の表示更新部は表示を更新する処理を実行しかつ第２の表示更新部は表示を更新する処理を停止し、第２の監視制御画面がディスプレイの第１層面に表示されているときは第１の表示更新部は表示を更新する処理を停止しかつ第２の表示更新部は表示を更新する処理を実行し、第１の表示更新部は、入力装置に第１の監視制御画面を指定する情報が入力されると、第１層面に第1の監視対象の変化を表現する第１の文字情報と、第２層面に第１の監視制御画面に対応する簡易イメージを表示し、第２の表示更新部は、入力装置に第２の監視制御画面を指定する情報が入力されると、第１層面に第２の監視対象の変化を表現する第２の文字情報と、第２層面に第２の監視制御画面に対応する簡易イメージを表示する。
【発明の効果】
【０００９】
この発明によれば、監視データの取得及び計算までは、すべての監視制御画面で行なうが、表示の更新については、特定の条件を満たす監視制御画面についてのみ実施することにより、電力消費が抑えられる。
【図面の簡単な説明】
【００１０】
【図１】Ｗｅｂ監視制御装置と監視制御サーバの関係を表す図である。
【図２】Ｗｅｂ監視制御装置の動作概念を示す構成図である。
【図３】実施の形態１に関わるＷｅｂ監視制御装置を示す概略構成図である。
【図４】実施の形態２に関わるＷｅｂ監視制御装置を示す概略構成図である。
【図５】実施の形態３に関わるＷｅｂ監視制御装置を示す概略構成図である。
【図６】実施の形態４に関わるＷｅｂ監視制御装置を示す概略構成図である。
【図７】実施の形態５に関わるＷｅｂ監視制御装置を示す概略構成図である。
【図８】実施の形態６に関わるＷｅｂ監視制御装置を示す概略構成図である。
【発明を実施するための形態】
【００１１】
実施の形態１．
以下では、監視対象が３ヶ所の場合を例にして説明を行う。図１は、Ｗｅｂブラウザを用いる監視制御システムの全体構成を表している。監視対象に関する監視データ３は監視制御サーバ２に保存されている。監視制御サーバ２はＬＡＮ（Local Area Network）／ＷＡＮ（Wide Area Network）１０を通じてＷｅｂ監視制御装置１と接続されている。Ｗｅｂ監視制御装置１は、監視制御サーバ２から監視データ３について通知を受け取り、複数の監視制御画面２１〜２３に監視制御情報を表示する。監視制御画面２３は、最前面（第１層面）に表示されているアクティブな作業画面である。監視制御画面２１と監視制御画面２２は監視制御画面２３の裏に隠れている。監視者は監視制御画面２１〜２３を通じて、監視対象物の状態監視や稼動制御などの監視作業を行う。
【００１２】
図２は、Ｗｅｂ監視制御装置１の動作概念を表している。Ｗｅｂ監視制御装置１は、ＣＰＵ７に管理され、監視制御画面の数に対応する複数の画面表示処理部を備えている。画面表示処理部１１１、画面表示処理部１１２、画面表示処理部１１３は、画面Ａ（監視制御画面２１）、画面Ｂ（監視制御画面２２）、画面Ｃ（監視制御画面２３）をそれぞれ制御する。現時点では、画面Ｃが最前面に表示され、画面Ａと画面Ｂは画面Ｃの裏に隠れて表示されている。画面表示処理部１１１と画面表示処理部１１２は、アラーム通知等のためそれぞれ監視データ３Ａと監視データ３Ｂの取得と計算は行っているが、表示の処理は現段階では停止している。アクティブな状態にある画面表示処理部１１３は、監視データ３Ｃの取得と計算に加えて、表示の処理まで実施している。ＣＰＵ７は、複数の監視制御画面がある場合、監視データの取得および計算までは全監視制御画面で行うが、表示については最前面に画像全体が表示されている監視制御画面（作業画面）についてのみ実施することにより、消費電力を抑える。
【００１３】
図３は、実施の形態１に関わるＷｅｂ監視制御装置１の内部構成とディスプレイ２０に表示される監視制御画面２１〜２３の関係を示している。画面表示処理部１１１〜１１３
はＷｅｂブラウザ９の上で動作する。画面表示処理部１１１は、収集部１１、計算部１２、表示更新部１３から構成されていて、監視制御画面２１を制御する。同様に、画面表示処理部１１２は、収集部１１、計算部１２、表示更新部１３から構成されていて、監視制御画面２２を制御する。同様に、画面表示処理部１１３は、収集部１１、計算部１２、表示更新部１３から構成されていて、監視制御画面２３を制御する。入力装置３０には、監視作業に使用される監視制御画面（作業画面）を指定する情報が外部から入力される。入力装置３０には、マウスの他に、キー入力装置、タッチパネル入力装置などが含まれる。ＣＰＵ７は、入力装置３０に入力される情報をもとに、画面表示処理部１１１〜１１３の動作を管理する。
【００１４】
収集部１１は監視制御サーバ２から定周期に通知される監視データを収集する。計算部１２は収集した監視データを演算し、監視データを表示形式へ変換する。表示更新部１３は、監視制御画面の表示を更新する制御に関わる。画面表示処理部１１１〜１１３は、収集部１１、計算部１２の処理を監視制御画面２１〜２３の状態に関わらず実行する。画面表示処理部１１１の表示更新部１３は、監視制御画面２１がアクティブな状態にあると表示更新処理を実行する。現時点では監視制御画面２１はアクティブな監視制御画面２３の裏に隠れているため、表示更新処理を停止している。同様に、画面表示処理部１１２の表示更新部１３は、監視制御画面２２が監視制御画面２３の裏に隠れているため、監視制御画面２２の表示更新処理を停止している。
【００１５】
これに対し、画面表示処理部１１３の表示更新部１３は活動しており、監視制御画面２３が最前面に表示されている。画面表示処理部１１３の表示更新部１３は、監視制御画面２３の全体が表示可能な状態にあることを確認し、監視制御画面２３の表示更新処理を実行する。監視者は、裏に隠れて表示されている監視制御画面の内容を確認するには、入力装置３０を操作して関心のある監視制御画面を指定し、監視制御画面を順次、画面全体が見えるよう最前面に移動する作業を行う。
【００１６】
以上のように実施の形態１によれば、Ｗｅｂ監視制御装置は、監視制御サーバから定周期に通知されるデータを、収集部と計算部の処理までは常に実行し、監視制御画面全体が表示可能な場合にのみ表示更新部の処理を実行する。全体が表示されていない裏に隠れた画面の表示更新部の処理が抑制されるので、表示更新処理の負荷が抑えられ、電力消費を抑えることができる。
【００１７】
実施の形態２．
この発明の実施の形態２を図４に基づいて説明する。監視データに変更が生じた場合、ＣＰＵ７はウィンドウ表示制御部１５を起動させる。ウィンドウ表示制御部１５は、監視制御画面の枠の色、太さを、表示更新する処理を実行する。変更の内容と監視制御画面の枠の色、太さの関係は予め決めておく。図４の例では、監視制御画面２１は裏画面であるが、監視データ３Ａに警報に関する情報が含まれていたため、画面表示処理部１１１のウィンドウ表示制御部１５は、画面枠を太く表示している。監視者は、監視制御画面２１の変化から、監視データ３Ａに変更が生じたことを認識できる。変更内容の詳細を確認するには、監視者は、入力装置３０を操作して、監視制御画面２１を最前面に移動する作業を行う。
【００１８】
以上のように、実施の形態２によれば、全画面の更新処理よりも負荷の小さい画面の枠の表示更新を行うことにより、どの監視制御画面を見る必要があるかをすぐに把握することができ、効率よく必要な監視制御画面に切り替えることができる。なお、関心のある裏画面を入力装置から指定すると、監視データに変更が生じていれば、監視制御画面の枠の色、太さを、表示更新するようにしてもよい。
【００１９】
実施の形態３． 
この発明の実施の形態３を図５に基づいて説明する。実施の形態３では、サマリ画面と簡易イメージを用いて、監視者にどの監視制御画面に監視データの更新が発生したかを認知させる。サマリ画面６は、監視対象に現れた変化を簡潔に表現する文字情報を含んでおり、マウス入力、キー入力またはタッチパネルの操作により、ディスプレイの最前面に表示される。簡易イメージには、更新されていない監視制御画面、または予め登録しておいた他の監視制御画面とは区別できる情報を含むイメージ画像を使う。簡易イメージは、監視データに変更があった場合、隠れている状態よりも明るく表示することが望ましい。
【００２０】
図５は、監視者がタッチパネルの操作により監視制御画面２１を指定した場合に対応する。画面表示処理部１１１のウィンドウ／情報表示制御部１７は、監視データ３Ａの更新内容を確認し、「警報２件発生」と文字表示したサマリ画面６を画面の中央部の最前面に、監視制御画面２１の更新前のデータを示す簡易イメージ２１ａを第２層目に、それぞれ表示している。監視者は、サマリ画面６の内容を読み、監視制御画面２１に警報が２件発生したことを認識する。監視者が、監視データ３Ａの更新内容を確認するには、入力装置３０を操作して、該当する監視制御画面２１を最前面に移す作業を行う。
【００２１】
なお、監視データの更新を検知すると、自動的に対応するウィンドウ／情報表示制御部１７が、サマリ画面６を最前面に、未更新イメージを元の場所に、表示することも考えられる。サマリ画面６は、アクティブな状態にある監視制御画面の邪魔にならない場所に、特に、簡易イメージと関連付けを感じる場所に配置されていることが好ましい。例えばサマリ画面６は簡易イメージの中央部に現れる。
【００２２】
簡易イメージの出現をサマリ画面６の出現よりも先に行うことも考えられる。簡易イメージに、他の監視制御画面とは区別できる情報（画面の明るさ或いは画面枠の太さ、色の違いなど）を含んだイメージ画像を使えば、監視者は、この簡易イメージから何か変化が生じたことを気づくことができる。その後、監視者が入力装置３０を使って関心のある監視制御画面にカーソル位置を移動させると、サマリ画面６が最前面に表示される。
【００２３】
以上のように実施の形態３によれば、監視制御画面の更新を伴わない簡易イメージと警報内容の要点を示すサマリ画面により、画面全体の更新よりも小さな負荷で、どの監視制御画面で警報が発生したかの把握が容易になる。
【００２４】
実施の形態４．
この発明の実施の形態４を図６に基づいて説明する。実施の形態４〜６では、監視制御画面２１〜２３をタブ形式で重畳して表示する。タブ４Ａ〜４Ｃは監視制御画面２１〜２３のそれぞれに付与され、画面の名称などの付加情報を表示する。タブ４Ａをクリックすると監視制御画面２１が、タブ４Ｂをクリックすると監視制御画面２２が、タブ４Ｃをクリックすると監視制御画面２３が、それぞれアクティブになる。図６では、監視制御画面２１〜２３は重畳されて表示されており、最上面には監視制御画面２３が表示されている。タブ４Ａは灰色に表示され、タブ４Ｂとタブ４Ｃは白色に表示されている。
【００２５】
画面表示処理部１１１〜１１３は、収集部１１、計算部１２、表示更新部１３に加えて、タブ表示制御部１４から構成されている。タブ表示制御部１４は、監視対象のデータに対し変更があると、警報が発生した件数、その重要度などを、タブ４に表示する文字、タブの背景色などで他と区別して表示する処理を実行する。監視者は、タブ４Ａの色に変化が生じていることから、監視制御画面２１に警報が発生していることを認識する。監視作業を継続するには、入力装置３０を操作して、該当する監視制御画面２１を最前面に移す作業を行う。更新された監視制御画面２１が表示されるので、監視データの詳細が確認できる。
【００２６】
以上のように、実施の形態４によれば、全画面の更新処理よりも負荷の小さいタブの表示更新を行うことにより、どの監視制御画面を見る必要があるかをすぐに把握することができ、効率よく必要な監視制御画面に切り替えることができる。
【００２７】
実施の形態５．
この発明の実施の形態５を図７に基づいて説明する。実施の形態４では、タブに表示する文字、背景色などを更新して監視対象のデータの状態を通知し、効率よく監視制御画面の選択を行えるようにしているが、監視制御画面を選択する条件が複雑な場合には、タブの中だけで表現する情報では選択の判断のための情報としては不十分である。タブ表示制御部１４ａは付加情報を表示するタブ４Ａ〜４Ｃに対して入力装置３０の移動を検知すると、吹き出し５の形式で監視情報に関連する情報を表示する。図７では、監視制御画面２３がアクティブな状態にある。タブ４Ａにマウスのカーソルを移動させると、画面表示処理部１１１のタブ表示制御部１４ａは、監視制御画面２１のタブ４Ａに関連付けられ、文字情報を含む吹き出し５を最前面に表示する。吹き出し５には、「警報２件発生」と表現されている。監視者がタブ４Ａをクリックすれば、監視制御画面２１が最前面に移動する。吹き出し５は、監視制御画面２１〜２３の邪魔にならない場所に現れる。
【００２８】
以上のように、実施の形態５によれば、全画面の更新処理よりも負荷の小さい吹き出しなどの負荷情報の表示をタブの表示に加えることにより、どの監視制御画面を見る必要があるかをより的確に把握することができ、効率よく必要な監視制御画面に切り替えることができる。なお、タブ４の表示更新が行われると、自動的に吹き出し５が現れるようにしても良い。
【００２９】
実施の形態６．
この発明の実施の形態６を図８に基づいて説明する。タブ／情報表示制御部１６は、マウス入力、キー入力またはタッチパネルの操作により監視制御画面の簡易イメージと警報などのサマリ情報を示すサマリ画面６を表示する。簡易イメージには更新されていない監視制御画面などを使う。図８は、監視者が監視制御画面２３を監視している際に、入力装置３０から監視制御画面２１を選択する指令を入力した状況に対応している。画面表示処理部１１１のタブ／情報表示制御部１６は、監視制御画面２１の簡易イメージ２１ａとサマリ画面６を、それぞれ第２層目と第１層目に表示する。最前面に表示されたサマリ画面６は「警報２件発生」という文字情報を表示している。監視者はサマリ画面６の内容を確認し、入力装置３０を操作すると、該当する監視制御画面２１が最前面に表示される。
【００３０】
なお、監視データの更新を検知した場合、サマリ画面と簡易イメージを同時に自動的に表示するようにしても良い。このとき、サマリ画面を重畳された監視制御画面と重ならない場所に表示する。また、監視データの更新を検出した場合、自動的に対応する監視制御画面の簡易イメージを最前面に表示するようにしてもよい。簡易イメージには他の監視制御画面から区別できる情報を含むイメージ画像を使う。監視者は、簡易イメージから、どの監視制御画面に変更が生じたかを認識できる。また、監視データの更新を検出した場合、自動的に対応するタブの表示形式を変更し、サマリ画面６を最前面に表示するようにしてもよい。監視者は、タブの変化とサマリ画面から、どの監視制御画面に変更が生じたかを認識できる。
【００３１】
以上のように実施の形態６によれば、監視制御画面の更新を行わない簡易イメージと警報内容の要点を示すサマリ画面により、画面全体の更新よりも小さな負荷で、どの監視制御画面で警報が発生したかの把握が容易になる。本発明は、その発明の範囲内において、各実施の形態を自由に組み合わせたり、各実施の形態を適宜、変形、省略することが可能である。
【符号の説明】
【００３２】
１  Ｗｅｂ監視制御装置、２  監視制御サーバ、３  監視データ、７  ＣＰＵ、１１  収集部、１２  計算部、１３  表示更新部、２０  ディスプレイ、１１１〜１１３  画面表示処理部
【図１】
0005755125.tif 000002
【図２】
0005755125.tif 000003
【図３】
0005755125.tif 000004
【図４】
0005755125.tif 000005
【図５】
0005755125.tif 000006
【図６】
0005755125.tif 000007
【図７】
0005755125.tif 000008
【図８】
0005755125.tif 000009